(57)【要約】【課題】寝具を使用する際に、あらかじめ使用する室内の環境を知ることによって、その環境に適した一種の或るいは組み合わせた寝具を適宜指摘する事の出来る寝具選択指数計を得る。【解決手段】感温材と感湿材とよりなる感温湿部を有し、該感温湿部が検知した温湿度により指針が示す指数の範囲に、その指数の環境に最も適した寝具の種類が記載され、就寝室内の温湿度環境のもとにおいて最適の寝床内気象を得る事の出来る寝具を選択出来るようにした。【選択図】        図１
2004317462.tif 000002
【特許請求の範囲】
【請求項１】
感温材と感湿材とよりなる感温湿部を有し、該感温湿部が検知した温湿度により指針が示す指数の範囲に、その指数の環境に最も適した寝具の種類が記載され、就寝室内の温湿度環境のもとにおいて最適の寝床内気象を得る事の出来る寝具を選択出来るようにした事を特徴とする寝具選択指数計。
【発明の詳細な説明】
【０００１】
【発明の属する技術分野】
本発明は、就寝時、室温に応じた快適な寝床内気象が得られる掛け寝具の種類の組合わせを適宜選択する為の目安を得ることの出来る、寝具選択指数計に関する。
【０００２】
【従来の技術】
従来就寝時に、快適な睡眠を得られるように寝床内の温度及び又は湿度を検出して所定温度より低温のときはヒーターを作動させ、過湿のときはエアを導入するよう操作を行い寝床内の条件を保とうとする装置（例えば特許文献１参照）、掛け布団内に裾部から襟方向に通ずる通風路を設け、該通風路に温風を給送して温度を高めると共に水分を除去するようにした寝具（例えば特許文献２参照）、ハニカム構造の立体メッシュ編物に通風路を形成したベッドパッド内部に冷温風が送風出来る送風装置からの風の供給口を設けて、寝床内を冷温し快適な睡眠を確保する冷温風寝具（例えば特許文献３参照）、シーツの下に分散配置した複数の湿度センサーによって人体近傍の湿度を検出し発汗量に基ずいて睡眠状態、即ち、レム睡眠ノンレム睡眠を推定し、空調機の調節を行なう睡眠状態検知装置及びそれを用いた空調方法（例えば特許文献４参照）などが知られている。
【０００３】
然しながら、これらはいずれも所謂寝床内気象のデータに基ずいて寝床内気象を人体の感ずる快適条件に近ずくように修正する為に寝床内は温水或いは冷水を吹き込み、更には、寝室内の環境を調節しようとするのみで、使用する寝具自体は特定の機能を有するものを常時使用せざるを得ないと言う事になる。
【０００４】
【特許文献１】
特許第２９６６１７５号公報（第１頁，図１）
【特許文献２】
特許第３１８６６３２号公報（第１頁，図１）
【特許文献３】
特開平１１−２６６９６８号公報（第１頁，図１）
【特許文献４】
特許第３１６４０５１号公報（第１頁，図１）
【０００５】
【発明が解決しようとする課題】
現在掛寝具にあっては、その使用時の対応気温に応じて種々のものが用意されており、特に羽毛を使用したものが多く、羽毛掛布団、羽毛肌掛けなどが見られ、他にはポリエステル長繊維を使用した中わた（フアロン）の掛布団、綿毛布、純毛毛布、タオルケット、真綿を用いたものなどが見られる。これらは、羽毛掛布団の室温５℃乃至１０℃前後に使用されるものから、タオル掛けの２５℃以上で使用されるものまでその主たる使用時の温度は自から分れている。
使用者はそのときどきの気候に応じて多数の布団の中から適宜に選択して就寝する事になるが、使用環境は室温ばかりではなく、湿度によっても大きく異なり、なかなか快適な寝具の組み合わせを得ることはむずかしかった。
【０００６】
そこで本発明は、寝具を使用する際に、あらかじめ使用する室内の環境を知ることによって、その環境に適した一種の或るいは組み合わせた寝具を適宜指摘する事の出来る寝具選択指数計を得る事を目的としている。
【０００７】
【課題を解決するための手段】
本発明寝具選択指数計は、感温材と感湿材とよりなる感温湿部を有し、該感温湿部が検知した温湿度により指針が示す指数の範囲に、その指数の環境に最も適した寝具の種類が記載され、就寝室内の温湿度環境のもとにおいて最適の寝床内気象を得る事の出来る寝具を選択出来るようにしている。
【０００８】
【発明の実施の形態】
本発明の実施の形態を図面と共に次に説明する。
本発明の寝具選択指数計１は、快適な寝床内気象を得る為に複数種ある寝具のどれを選ぶかの根拠となる指数を決定するための寝具選択指数計である。
気象環境状況を数値的に知る一つの手段として不快指数がある。不快指数は幾つかの計算方法があるが、その一つに気温℃に湿球温度℃を加えた値に０．７２を乗じ、更にそれに４０．６を加えた値である。そして指数が５５以下で寒い．５５で肌寒い，６０で何も感じない，６５で快適，７０で最も快適，７５で不快感を持つ人が出始める，８０で半数以上が不快，８５で全員不快の目安となっている。
【０００９】
本発明は、この点を捕えて上記の指数を示す室内環境のとき、寝具をどのように組み合わせて使用すれば快適に就寝出来るかを知る事が出来るようにした。
本発明寝具選択指数計は不快指数計と同様に、一例を上げると感温材と感湿材とよりなる感温湿部を有し、両者は細長板状体をなして貼り合されてバイメタル状をなし、上記感温湿部が温度湿度の変化の影響を受けた際バイメタルは変形し、その変形を指針軸に伝え前記変形量に応じて指針を揺動するものである。従って、本発明寝具選択指数計の指数の表示は不快指数計と同様で、該指数に加えて該指数の室内条件の際にもっとも適した寝具が何であるかを指数と同時に指数計のダイヤル面に表示している。
寝具は素材により保温性は大きく異なり、羽毛，ポリエステル長繊維わた（フアロン），毛布，タオルケットにあっては、それぞれｃｌｏ値が９．３７，６．７９，１．０１，０．３３である。従って、これらの保温性の異なる寝具を適宜単独又は組み合わせて使用する事で、そのときそのときの室内温度に最適の保温性を持つ寝具を得る事が出来る。
【００１０】
最もｃｌｏ値の少ないタオルケットは不快に感ずる人が半数に近い、指数８０前後で使用し、最もｃｌｏ値の高い羽毛布団は指数５０程度で使用する。そして、この両指数の中間においては指数に応じてｃｌｏ値を変化させるように指数５０から５５程度で羽毛布団＋肌掛け布団、指数５５から６０超で羽毛布団＋純毛毛布、指数６０から６５程度で羽毛布団、指数６５から７０程度でポリエステル長繊維わた掛布団、指数７０から７５程度まで純毛毛布、指数７５から８０まで綿毛布又はタオルケットなどを選ぶことが出来る。
【００１１】
上記指数に対する最適寝具を図１に示すように指数計の表示面に記入しておく。そして、指数計１を就寝しようとする室内に置き、室内の温度湿度（不快指数）を計測する事により、針の指した位置の寝具がその環境での最適の寝具であることが判明する。
【００１２】
本発明寝具選択指数計は、上記した各種寝具に限らず、例えば新たに開発された寝具、それまで記入されていなかった寝具など、適宜ｃｌｏ価を測定し、単独又は他の寝具と組合せてダイヤル面の所定指数の位置に寝具名を記入出来ることは勿論で、本発明寝具選択指数計では前記した寝具種別のみ測定可能と云うことではない。
【００１３】
【発明の効果】
本発明寝具選択指数計は、就寝しようとする部屋にそれを置くことで室内の温度湿度を測定しその状況下での最も適した寝具を選択し指示することが出来るため、寝具の選択に迷うことがなく、特に幼児用の寝具の選択に有効である。
【図面の簡単な説明】
【図１】本発明寝具選択指数計の表示面の正面図。
【符号の説明】
１  寝具選択指数計
【図１】
2004317462.tif 000003